(57)【特許請求の範囲】
【請求項１】
生ゴミを収納する生ゴミ収納容器と、生ゴミを加熱する加熱手段と、前記生ゴミ収納容器の底部に回転自在に取着された攪拌刃と、前記攪拌刃を回転駆動する駆動手段とを備え、前記攪拌刃の一側の途中に段差部を設け、前記攪拌刃の回転に支障がない程度まで上向きに突出する固定刃を、前記生ゴミ収納容器の底部で、前記撹拌刃の回転軸と前記段差部との間の位置に設けた厨芥処理機。
【請求項２】
固定刃の上端面を外方に向かって延設させるとともに、攪拌刃に当接しない程度に上方に突出させた請求項１記載の厨芥処理機。
【発明の詳細な説明】
【０００１】
【発明の属する技術分野】
本発明は、主に家庭の台所で発生する生ゴミなどの厨芥を処理する厨芥処理機に関する。
【０００２】
【従来の技術】
従来の乾燥方式の厨芥処理機は、図７に示すように、厨芥処理機本体１は、内部に生ゴミ収納容器２を設置しており、生ゴミ収納容器２の内部には底面から突き出した回転軸３に攪拌刃４を固定し、生ゴミ収納容器２の内壁には固定刃５が２ヵ所設けられている。回転軸３は減速装置６を介して駆動モ−タ−７に連結されている。本体１の上部には蓋８を設けており、蓋８の内面には加熱手段９を設けてある。また、攪拌刃４は一端は斜め上方に傾斜してのびていた。
【０００３】
【発明が解決しようとする課題】
このような攪拌刃４をもつ厨芥処理機１においては、加熱手段９で加熱された生ゴミ収納容器２内の生ゴミは、駆動モ−タ−７の動力で減速装置６と回転軸３を介して回転する攪拌刃４と、生ゴミ収納容器２に固定されている固定刃５によって、粉砕されながら乾燥される。
【０００４】
しかし、繊維質のゴミが多量に投入されると、攪拌刃４に絡みつき、撹拌が効果的に行
われず、結果的に乾燥性能に影響を及ぼしたり、運転後に攪拌刃４を手入れする必要があった。
【０００５】
また、乾燥処理時間を早めるために、攪拌速度を速めたり攪拌頻度を多くすると、半乾きの生ゴミが半練り状になり、攪拌刃４の回転による遠心力によって、攪拌刃４と生ゴミ収納容器２間（ラインａ、ｂ間で囲まれた空間Ａ）の生ゴミが圧迫され、下方の空間Ａにある生ゴミが攪拌刃４の斜め上方に傾斜した刃に沿って上方の空間Ａ、すなわち狭い空間に移動する。その結果、居場所のなくなった半練り状の生ゴミが生ゴミ収納容器２の内壁面に沿ってせり上がってしまい乾燥の邪魔になることがあった。
【０００６】
本発明は上記課題を解決するもので、繊維質のゴミを投入されても、攪拌刃４に絡みつくのを防ぎ、また攪拌速度を速めたり攪拌頻度を多くしても、生ゴミのせり上がりが起こらない、使い勝手が良く且つ確実に生ゴミを粉砕・攪拌できる攪拌刃４をもつ、乾燥効率の良い厨芥処理器を提供することを目的としている。
【０００７】
【課題を解決するための手段】
本発明は上記目的を達成するために、生ゴミを収納する生ゴミ収納容器と、生ゴミを加熱する加熱手段と、前記生ゴミ収納容器の底部に回転自在に取着された攪拌刃と、前記攪拌刃を回転駆動する駆動手段とを備え、前記攪拌刃の一側の途中に段差部を設け、前記攪拌刃の回転に支障がない程度まで上向きに突出する固定刃を、前記生ゴミ収納容器の底部で、前記撹拌刃の回転軸と前記段差部との間の位置に設けたもので、繊維質の生ゴミが多量に投入されると、攪拌刃に繊維質の生ゴミが絡みつき、攪拌刃の回転に伴い生ゴミがリング状になり、固定刃に掛かったそのリング状の生ゴミが段差部で引きちぎられるので、繊維質のゴミが投入され、攪拌刃に絡みついても自動的に除去でき、使い勝手が良く乾燥効率の良い厨芥処理機を提供できる。
【０００８】
【発明の実施の形態】
本発明の請求項１記載の発明は、生ゴミを収納する生ゴミ収納容器と、前記生ゴミ収納容器を開閉する蓋と、生ゴミを加熱する加熱手段と、前記生ゴミ収納容器の底部に回転自在に取着された攪拌刃と、前記攪拌刃を回転駆動する駆動手段とを備え、前記攪拌刃の一側の途中に段差部を設け、前記攪拌刃の回転に支障がない程度まで上向きに突出する固定刃を、前記生ゴミ収納容器の底部で、前記撹拌刃の回転軸と前記段差部との間の位置に設けたもので、繊維質の生ゴミが多量に投入されると、攪拌刃に繊維質の生ゴミが絡みつき、攪拌刃の回転に伴い生ゴミがリング状になり、固定刃に掛かったそのリング状の生ゴミが段差部で引きちぎられるので、繊維質のゴミが投入され、攪拌刃に絡みついても自動的に除去できる、使い勝手が良く乾燥効率の良い厨芥処理機を提供できるものである。
【０００９】
本発明の請求項２記載の発明は、固定刃の上端面を外方に向かって延設させるとともに、攪拌刃に当接しない程度に上方に突出させたので、攪拌刃が回転する度に固定刃で攪拌刃の下面に付着したゴミをそぎ取るので、攪拌刃への絡みつきの発生そのものを防ぐ事ができるので、繊維質のゴミを投入されても、攪拌刃に絡みつくのを防ぎ、使い勝手が良く乾燥効率の良い厨芥処理機を提供できる。
【００１０】
【実施例】
（実施例１）
以下、本発明の第１の実施例を、図１〜３を参照しながら説明する。
【００１１】
厨芥処理機本体１１は、内部に生ゴミ収納容器１２を設置しており、生ゴミ収納容器１２の内部には底面から突き出した回転軸１３に、一端は上方向に伸び、他端は途中で下方に一旦折れ再度水平に伸びる段差部１４がある攪拌刃１５が固定されている。生ゴミ収納
容器１２の底面に攪拌刃１５の支点１６と段差部１４との間に、攪拌刃１５の回転に支障ない程度まで上向きに突出する固定刃１７が設けられている。回転軸１３は減速装置１８を介して駆動モ−タ−１９に連結されている。本体１１の上部には蓋２０を設けており、蓋２０の内面には加熱手段２１を設けてある。
【００１２】
上記構成において動作を説明すると、生ゴミ収納容器１２に投入された生ゴミは、加熱手段２１により加熱され、駆動モ−タ−１９の動力で減速装置１８と回転軸１３を介して回転する攪拌刃１５と、生ゴミ収納容器１２に固定されている固定刃１７によって、粉砕され乾燥される。
【００１３】
その際、繊維質の生ゴミが多量に投入されると、攪拌刃１５に繊維質の生ゴミが絡みつき、回転に伴い攪拌刃１５の段差部１４と支点１６間でリング状になり絡まって支点１６の方に締まってくる。そして絡みつきが進行し最終的にリング状のゴミの径が最小となるのは、攪拌刃１５の段差部１４が固定刃１７側に重なったときで、その径は支点１６と段差部１４間の距離（Ｄ１）となる（図２）。ここで攪拌刃１５が回転すると、リング状のゴミは固定刃１７に掛りその径は固定刃１５と段差部の距離（Ｄ２）となり（図３）、回転と共に広がっていきリングは引きちぎられる。（Ｄ１＜Ｄ２）
よって、繊維質のゴミを投入されて、攪拌刃１５に絡みついても自動的に除去できる、使い勝手が良く乾燥効率の良い厨芥処理機を提供できる。
【００１４】
（実施例２）
次に本発明第２の実施例について図４を用いて説明する。なお上記第１の実施例と同一構成部品については同一符号を付して、その説明を省略する。
【００１５】
生ゴミ収納容器１２底面に、攪拌刃１５に当接しない程度に上方に突出するとともに、その上端面を外方に向かって延設させた固定刃１７を設けた。
【００１６】
上記構成において動作を説明すると、攪拌刃１５が回転する度に固定刃１７で攪拌刃１５の下面全体に付着したゴミをそぎ取るので、攪拌刃１５への絡みつきの発生そのものを防ぐ。
【００１７】
よって、繊維質のゴミを投入されても、攪拌刃１５に絡みつくのを防ぐ、使い勝手が良く乾燥効率の良い厨芥処理機を提供できる。
【００１８】
（実施例３）
次に、本発明の第３の実施例について図５を参照しながら説明する。
【００１９】
攪拌刃１５の他端は、水平に伸び途中より、一旦垂直上方に折れ、さらに先端側で容器側に傾斜すると共に、その傾斜している範囲の刃は、回転方向に対して傾斜する傾斜部Ｂを備えている。また、固定刃１７と攪拌刃１５の垂直部２２との隙間を３０ｍｍ以下に設定している。他の部分の構成は上記実施例と同一であるので、説明を省略する。
【００２０】
上記構成において動作を説明すると、水分の多い生ゴミのとき、攪拌速度を速めたり攪拌頻度を多くしたことによって、半乾きの生ゴミが半練り状になっても、攪拌刃１５が水平と垂直にのびているので、上下間での攪拌刃１５と生ゴミ収納容器１２間の空間Ａの幅は同等で、攪拌刃１５の回転による遠心力で、生ゴミが生ゴミ収納容器１２へ押えつけられても、上方へのせり上がりを助長せず、たとえ生ゴミ収納容器１２の内壁面に沿ってせり上がってしまっても、攪拌刃１５の先端の容器側に傾斜している部分でせり上がりを切断できるので、生ゴミの乾燥処理を順調に行える。
【００２１】
また、攪拌刃１５を正・逆回転させることでさらに生ゴミの撹拌を有効に行えるものである。即ち、攪拌刃１５を一方方向（正転）に回転させると、生ゴミは攪拌刃１５の傾斜部Ｂに沿って下方に押し下げられ、次に逆方向に回転させると、今度は攪拌刃１５の傾斜部Ｂに沿って上方に押し上げられる。従って、生ゴミ収納容器１２の内側壁面の生ゴミは、回転に合わせて上下するので、より確実にせり上がりを防止できる。
【００２２】
また、攪拌刃１５の垂直部２２と固定刃１７間の間隔を３０ｍｍ以下に設定することで、攪拌刃１５を回転させると、生ゴミは、攪拌刃１５の先端の容器側に傾斜している部分と垂直部２２に挟まれて、固定刃１７を通過するときに、約３０ｍｍ程度に粉砕され、攪拌を繰り返すことによって、生ゴミを順に粉砕・攪拌できる。
【００２３】
ゆえに、この構成の攪拌刃１５を用いることにより、攪拌速度を速めたり攪拌頻度を多くしても、乾燥の邪魔になる生ゴミのせり上がりを防止でき、効率よく乾燥処理できる厨芥処理機を提供できる。
【００２４】
（実施例４）
次に、本発明の第４の実施例について図６を参照しながら説明する。
【００２５】
生ゴミ収納容器１２の内壁面に、攪拌刃１５の先端より上方に、攪拌刃１５の先端より内方に突出した凸部２３を円環状に設けた。
【００２６】
上記構成において動作を説明すると、生ゴミが生ゴミ収納容器１２の内壁面に沿ってせり上がってきても、攪拌刃１５の先端より凸部２３が内方に突出しているので、攪拌刃１４の回転によるゴミのせり上がりを切断できる。たとえ攪拌刃１４の先端と生ゴミ収納容器１２の内側壁面間で、生ゴミがせり上がってきても凸部２２に沿って、再び生ゴミ収納容器内１２に落ちる。
【００２７】
ゆえに、攪拌刃１５の形状を限定する事なく、生ゴミ収納容器１２の内壁面のせり上がりを確実に防止でき、生ゴミを短時間で乾燥処理できる乾燥効率の良い厨芥処理機を提供できる。
【００２８】
【発明の効果】
以上の実施例より明らかなように本発明によれば、以下の効果を得る。
【００２９】
本発明の請求項１記載の発明によれば、繊維質の生ゴミが多量に投入され、攪拌刃に繊維質の生ゴミが絡みついても、絡みつきが回転に伴いリング状になり締まってくる現象を利用して、ある時の攪拌刃の段差部が固定刃側に重なったときにリング状のゴミの径が最小となるので、続く攪拌刃の回転によってリングの一端は固定刃に掛り、他端は段差部に引っ掛かったままなので、径は広がっていきリングは引きちぎられる。
【００３０】
よって、繊維質のゴミを投入されて、攪拌刃に絡みついても自動的に除去できる、使い勝手が良く乾燥効率の良い厨芥処理機を簡単な構成で安価に提供できる。
【００３１】
本発明の請求項２記載の発明によれば、生ゴミ収納容器底面に設けた固定刃の上端面を外方に向かって延設させるとともに、攪拌刃に当接しない程度に上方に突出させたことで、攪拌刃が回転する度に固定刃で攪拌刃の下面に付着したゴミをそぎ取るので、攪拌刃への絡みつきの発生そのものを防ぐ。
【００３２】
よって、繊維質のゴミを投入されても、攪拌刃に絡みつくのを防ぐ、使い勝手が良く乾燥効率の良い厨芥処理機を提供できる。
【図面の簡単な説明】
【図１】  本発明の第１の実施例を示す厨芥処理機の要部断面図
【図２】  同厨芥処理機の要部断面図
【図３】  同厨芥処理機の動作を示す要部断面図
【図４】  本発明の第２の実施例を示す厨芥処理機の要部断面図
【図５】  本発明の第３の実施例を示す厨芥処理機の要部断面図
【図６】  本発明の第４の実施例を示す厨芥処理機の要部断面図
【図７】  従来例を示す厨芥処理機の断面図
【符号の説明】
１１  本体
１２  生ゴミ処理容器
１５  攪拌刃
１７  固定刃
１９  駆動モーター
２０  蓋
２１  加熱手段
２３  凸部
【図１】
0004178622.tif 000002
【図２】
0004178622.tif 000003
【図３】
0004178622.tif 000004
【図４】
0004178622.tif 000005
【図５】
0004178622.tif 000006
【図６】
0004178622.tif 000007
【図７】
0004178622.tif 000008